(57)【要約】      （修正有）【課題】飲用する多種類の医薬品を同時に、口内舌の一定位置に挿入でき、口奥に入るのを阻止でき安全安心衛生的に活用できる薬飲用具を提供する。【解決手段】長方形を有する平板をＵ字形状に折り曲げ、右片端側を閉じ板で接合して内側を薬受け部１Ｃとする。左片端側は開放形状とし、Ｕ字形状に折り曲げた両側上部を勾配を設けて切り飲用部１Ａとする。左片端側の底部に板状の安定材１Ｆを接合し、右片端側閉じ板外部中心にすべり防止１Ｅのついた板状の突起物を設け、持ち手部１Ｄとする。薬受け部１Ｃに粉薬２、錠剤３、カプセル４を入れ、飲用部１Ａを舌に接し且つ上唇に唇接触部１Ｂが接するまで挿入、この状態で持ち手部を持上げると医薬品は舌の上の一定位置に挿入可能となる。安定材１Ｆは下唇に接し口奥に入ることを阻止する。【選択図】図１
0003194218.tif 000002
【実用新案登録請求の範囲】
【請求項１】
薬受け部は上向きで飲用部側は他の物と触れること無く設置でき、飲用する多種類の医薬品を包装容器開封後直に薬受け部に挿入でき、持ち手部を掴み口に入れ飲用部が舌と接し並びに唇接触部が上唇に接した位置で持ち手部を上げ医薬品を口内に挿入、安定材は下唇に接し口内奥に入ることを阻止でき、毎回口内の同じ舌上位置に医薬品を挿入でき安全安心が保たれ衛生的である事を特徴とする薬飲用具。
【考案の詳細な説明】
【技術分野】
【０００１】
本考案は、多種類で多量の医薬品を同時に口の中へ挿入でき、且つ口の中奥には入り過ぎず且つこぼすこともなく、安心して素早く安全に飲用できるようにする事である。
【背景技術】
【０００２】
医薬品を飲用する場合、錠剤とかカプセルとかは開封後手から直接口に入れて飲用、粉薬の場合は包装紙を開き直接口に入れ水にて飲用とか、医薬品の形状によって其々別々に飲用する状況が多かった。
【０００３】
病気の症状によって飲用する医薬品の種類と量も多く、一回に飲用する医薬品の種類により飲用回数が増え体調がすぐれない場合至難であった。
【０００４】
そこで、誰でもが容易に、一回に飲用する多種類で多量の医薬品をまとめて口内の所定舌の位置に挿入でき、容易に飲用できる様にすることである。
【０００５】
この改善策として、薬飲用具１の形状は、断面はほぼＵ字形状で側面はやや長方形でＵ字形状の右片端側は閉じこの内側部分を薬受け部１Ｃとし、且つ外部中心に突起物状のすべり防止１Ｅを設けた平板形状を縦方向に接合で持ち手部１Ｄとし、別の左片端側は開放形状でＵ字形状の底は飲用部１Ａとし、左片端側は右片端側より底は浅く且つＵ字形状側面は飲用部１Ａの底に向かって傾斜状態で切取られた形状で唇接触部１Ｂとなり、左片端側の外部底に板状を接合し安定材１Ｆを設け、この薬飲用具１は安定材１Ｆと持ち手部１Ｄとで安定してテーブル等に置く事ができ、粉薬２、錠剤３、カプセル４などを其々包装容器開封後直に薬受け部１Ｃに入れ、持ち手部１Ｄを手８で掴み持上げ口を開き舌７に飲用部１Ａが接し上唇６Ａに唇接触部１Ｂが接した位置で持ち手部１Ｄを持上げると舌７に医薬品は挿入となり、薬飲用具１を口から外し水などを用いて医薬品を飲用する。
【先行技術文献】
【特許文献】
【０００６】
【特許文献１】特開２００９−０００１４６号公報
【非特許文献】
【０００７】
【非特許文献１】「治療薬ハンドブック」  株式会社  じほう  ２０１４年
【考案の概要】
【考案が解決しようとする課題】
【０００８】
解決しようとする問題点は、飲用する医薬品によって形状が粉薬と錠剤とカプセルと液薬とに大別でき、特に粉薬は飲用しずらく、病気によって多種類で多量の飲用薬が処方箋となり、且つ一日に数度の飲用がありその都度粉薬を飲み次に錠剤を飲みと大変な労力であった。
【課題を解決するための手段】
【０００９】
本考案は、一回に飲用する粉薬とか錠剤とかカプセルとかの医薬品を一度に、口内舌上の所定の位置に挿入でき飲用できる様にする事を最も主要な特徴とする。
【考案の効果】
【００１０】
本考案の薬飲用具１は、一回に飲用する医薬品の量を薬受け部にて目視で確認する事ができ事前に飲み忘れ若しくは混同防止ができ、多種類の医薬品を同時に口内舌の一定位置に挿入でき安心して飲用できる利点がある。
【図面の簡単な説明】
【００１１】
【図１】図１は薬飲用具に医薬品の挿入を示した説明図である。（実施例１）
【図２】図２は薬飲用具で飲用する方法を示した説明図である。（実施例２）
【考案を実施するための形態】
【００１２】
無駄な部分を省き軽量化を試み、衛生的で機能重視を試み使い易さを実現した。
【実施例１】
【００１３】
図１は、本考案の薬飲用具１の医薬品の挿入を示した説明図であって、薬飲用具１の断面形状はほぼＵ字形状をなし右片端側は閉じこの内側空間を薬受け部１Ｃとし、閉じた中心部外側に突起物状のすべり防止１Ｅを施した持ち手部１Ｄを縦方向に接合、左片端側は開放とし底面は右片端側より浅くこの部分を飲用部１Ａとし且つ両側面は側面上部から底面にかけて傾斜この部分を唇接触部１Ｂとし、左片端側の先端から右片端側に方向下部に安定材１Ｆを設けた形状である。
【００１４】
薬飲用具１をテーブルなどの安定した場所に薬受け部１Ｃを上向きに置き、粉薬２の包装紙５を開き直に薬受け部１Ｃに挿入、その他の錠剤３とかカプセル４などを其々の包装容器開封後直に薬受け部１Ｃに挿入、薬飲用具１の薬受け部１Ｃに挿入した其々の医薬品は目視で確認ができ安心できる、口に入る飲用部１Ａとか唇接触部１Ｂなどはテーブルなどに設置した状況でも他の物に接することなく衛生的である。
【００１５】
薬飲用具１は無駄な部分を排除し極力薄く軽く製作でき価格の低減にも寄与できより多くの人々に活用して戴ける効果と、薬飲用具１自体着色する事で使用する方法とか飲用方法など活用の仕方が増え効果的に使用できる。
【実施例２】
【００１６】
図２は、本考案の薬飲用具１で飲用する方法を示した説明図であって、薬飲用具１の突起物状のすべり防止１Ｅが付い持ち手部１Ｄを手８で掴み持上げる、口を開き飲用部１Ａを舌７に接しと上唇６Ａに唇接触部１Ｂが接するまで挿入し持ち手部１Ｄを持上げると医薬品は舌７の上に挿入、その後薬飲用具１を口から外し水などで医薬品を飲用する、一回に飲用する医薬品を一度に飲用でき、体調が悪い場合など薬を飲用するに大変苦労し薬飲用を嫌う人々にも大いに寄与できる。
【００１７】
薬飲用具１は舌７に飲用部１Ａが接し上唇６Ａと唇接触部１Ｂが接した部分が医薬品飲用位置となり毎回同じ舌７の場所に挿入でき安定と安心が確保できる事と、且つ薬飲用具１は下唇６Ｂに安定材１Ｆが接するとそれ以上口内に入ることを阻止し口内奥深く挿入する事を防止できる。
【産業上の利用可能性】
【００１８】
薬を飲用する本人も薬の飲用が楽になり且つ介護する人も、或は介護施設などの介護師の方々にも安心して日常業務の軽減に役立てる事ができる。
【符号の説明】
【００１９】
１    薬飲用具
１Ａ  飲用部
１Ｂ  唇接触部
１Ｃ  薬受け部
１Ｄ  持ち手部
１Ｅ  すべり防止
１Ｆ  安定材
２    粉薬
３    錠剤
４    カプセル
５    包装紙
６Ａ  上唇
６Ｂ  下唇
７    舌
８    手
【図１】
0003194218.tif 000003
【図２】
0003194218.tif 000004
【手続補正書】
【提出日】平成26年9月4日(2014.9.4)
【手続補正１】
【補正対象書類名】実用新案登録請求の範囲
【補正対象項目名】全文
【補正方法】変更
【補正の内容】
【実用新案登録請求の範囲】
【請求項１】
長方形を有する平板を長手方向中心に合わせてＵ字形状に折り曲げ、この折り曲げた右片端側を閉じ板で接合内側を薬受け部とし、左片端側は開放形状としＵ字形状に折り曲げた両側の一部を左片端側に向け勾配を設け切り飲用部としこの左片端側の外部底に安定材として板状を接合、右片端側閉じ板外部中心にすべり防止用の突起物を設けた持ち手部平板を接合とを形成した形状、安定材と持ち手部にて安定設置ができ薬受け部に医薬品を入れ持ち手部をつかみ安全に必要量の薬を飲用できることを特徴とする薬飲用具。